(57)【要約】      （修正有）【課題】住人の管理費の未納若しくは滞納を抑止し得るエレベーター用運転管理システムの提供。【解決手段】エレベーター制御装置７を、住人情報受信装置６から送信されてきた管理会社への管理費の支払い情報に基づきエレベーターの利用が許可か不許可かを決定する利用可否決定部と、この利用可否決定部によって決定されたエレベーターの利用可否情報を格納する運転情報サービス記憶部と、この運転情報サービス記憶部からのエレベーターの利用可否情報、乗り場用ＩＤ情報受信端末装置９〜９ＮからのＩＤ情報及び乗りかご用ＩＤ情報受信端末装置１１からのＩＤ情報に基づきエレベーターの運転内容を決定するエレベーター運転決定部と、このエレベーター運転決定部により決定された運転内容に基づきエレベーターを制御する信号を生成するエレベーター制御指令部を含む構成とする。【選択図】図１
2007112576.tif 000002
【特許請求の範囲】
【請求項１】
共同住宅や集合住宅などの建物に居住する住人の住人情報を入力するための入力端末装置と、この入力端末装置から入力された住人情報を格納する住人情報格納装置と、この住人情報格納装置に格納された住人情報を前記建物側に送信する住人情報送信装置と、この住人情報送信装置から送信されてきた住人情報を受信する前記建物側に設置された住人情報受信装置と、この住人情報受信装置から送信される住人情報を受信し、かつ、前記建物に設置されたエレベーターの運転制御を行うエレベーター制御装置と、前記建物に設置されたエレベーターの各乗り場に設けた乗り場用ＩＤ情報受信端末装置と、前記建物に設置されたエレベーターの乗りかご内に設けた乗りかご用ＩＤ情報受信端末装置と、前記建物に居住する住人が携帯するＩＤ情報端末装置を、少なくとも備えたエレベーター用運転管理システムにおいて、
前記エレベーター制御装置を、前記住人情報受信装置から送信されてきた住人情報のうち、前記建物の管理会社への管理費の支払い情報に基づきエレベーターの利用が許可か不許可かを決定する利用可否決定部と、この利用可否決定部によって決定されたエレベーターの利用可否情報及びエレベーターの運転内容を少なくとも格納する運転情報サービス記憶部と、この運転情報サービス記憶部からのエレベーターの利用可否情報、前記乗り場用ＩＤ情報受信端末装置からのＩＤ情報及び前記乗りかご用ＩＤ情報受信端末装置からのＩＤ情報に基づきエレベーターの制御内容を決定するエレベーター運転決定部と、このエレベーター運転決定部により決定された運転内容に基づきエレベーターを制御する指令信号を生成するエレベーター制御指令部とを含む構成とし、しかも、前記運転情報サービス記憶部からのエレベーターの利用可否情報が、エレベーターの利用不許可のときは、エレベーター制御指令部からエレベーターの運転を停止させる指令信号が生成されるようにしたことを特徴とするエレベーター用運転管理システム。
【請求項２】
前記入力端末装置により前記住人情報格納装置に格納された住人情報が更新されると、その更新された住人情報を、前記住人情報送信装置、外部通信網及び前記住人情報受信装置を介して前記エレベーター制御装置の利用可否決定部に送信するようにしたことを特徴とする請求項１記載のエレベーター用運転管理システム。
【請求項３】
前記エレベーター運転決定部には、運転情報サービス記憶部を設け、この運転情報サービス記憶部に、少なくとも、住民ＩＤ情報、住民の居住階情報、エレベーターの利用可否情報及びエレベーターの運転オプション情報を格納するようにしたことを特徴とする請求項１若しくは２記載のエレベーター用運転管理システム。
【発明の詳細な説明】
【技術分野】
【０００１】
本発明は、エレベーター用運転管理システムに関するものである。
【背景技術】
【０００２】
従来のエレベーター用運転管理システムとしては、エレベーター利用者がエレベーターに乗り込んだときに、運転操作許可を取得するまで、エレベーターは停止状態であり、プリペイドカードの利用許可取得装置での照合時にエレベーターの使用料金を計算し、エレベーター利用者に対して使用料金を課金し徴収するようにしたものが提案されている（例えば、特許文献１参照）。
【特許文献１】特開２００３−３０５５６号公報（段落番号００１１〜段落番号００２６、図１）
【発明の開示】
【発明が解決しようとする課題】
【０００３】
しかしながら、上述した特開２００３−３０５５６号公報に記載されたエレベーター用運転管理システムでは、エレベーターの使用にプリペイドカードのポイントを消費したり、現金を徴収したり、あるいはポイントがなくなったり、現金がなければ、エレベーターの利用を制限するようにしているのみであった。そのために、管理費を未納若しくは滞納している居室の住人であっても、エレベーターの利用をすることができるので、住人の管理費の未納若しくは滞納を抑止し得るエレベーター用運転管理システムの開発が望まれている
本発明は、上述した従来技術における実状からなされたもので、その目的は、管理費を未納若しくは滞納している住人に対してエレベーターの利用ができないようにすることで、住人の管理費の未納若しくは滞納を抑止し得るエレベーター用運転管理システムを提供することにある。
【課題を解決するための手段】
【０００４】
上記目的を達成するために、本発明は、共同住宅や集合住宅などの建物に居住する住人の住人情報を入力するための入力端末装置と、この入力端末装置から入力された住人情報を格納する住人情報格納装置と、この住人情報格納装置に格納された住人情報を前記建物側に送信する住人情報送信装置と、この住人情報送信装置から送信されてきた住人情報を受信する前記建物側に設置された住人情報受信装置と、この住人情報受信装置から送信される住人情報を受信し、かつ、前記建物に設置されたエレベーターの運転制御を行うエレベーター制御装置と、前記建物に設置されたエレベーターの各乗り場に設けた乗り場用ＩＤ情報受信端末装置と、前記建物に設置されたエレベーターの乗りかご内に設けた乗りかご用ＩＤ情報受信端末装置と、前記建物に居住する住人が携帯するＩＤ情報端末装置を、少なくとも備えたエレベーター用運転管理システムにおいて、前記エレベーター制御装置を、前記住人情報受信装置から送信されてきた住人情報のうち、前記建物の管理会社への管理費の支払い情報に基づきエレベーターの利用が許可か不許可かを決定する利用可否決定部と、この利用可否決定部によって決定されたエレベーターの利用可否情報及びエレベーターの運転内容を少なくとも格納する運転情報サービス記憶部と、この運転情報サービス記憶部からのエレベーターの利用可否情報、前記乗り場用ＩＤ情報受信端末装置からのＩＤ情報及び前記乗りかご用ＩＤ情報受信端末装置からのＩＤ情報に基づきエレベーターの運転内容を決定するエレベーター運転決定部と、このエレベーター運転決定部により決定された運転内容に基づきエレベーターを制御する指令信号を生成するエレベーター制御指令部とを含む構成とし、しかも、前記運転情報サービス記憶部からのエレベーターの利用可否情報が、エレベーターの利用不許可のときは、エレベーター制御指令部からエレベーターの運転を停止させる指令信号が生成されるようにしたことを特徴としている。
【０００５】
さらに、本発明は、前記入力端末装置により前記住人情報格納装置に格納された住人情報が更新されると、その更新された住人情報を、前記住人情報送信装置、外部通信網及び前記住人情報受信装置を介して前記エレベーター制御装置の利用可否決定部に送信するようにしたことを特徴としている。
【０００６】
さらに、本発明は、前記エレベーター運転決定部には、運転情報サービス記憶部を設け、この運転情報サービス記憶部に、少なくとも、住民ＩＤ情報、住民の居住階情報、エレベーターの利用可否情報及びエレベーターの運転オプション情報を格納するようにしたことを特徴としている。
【発明の効果】
【０００７】
本発明によれば、共同住宅や集合住宅などの建物に居住する住人が管理費を未納若しくは滞納しているとエレベーターの利用することができず、これにより、住人が管理費の未納若しくは滞納していることに気づき、管理費の支払いが促されるので、建物に居住する住人の管理費の未納若しくは滞納を、大幅に抑止できるエレベーター用運転管理システムが得られる。
【発明を実施するための最良の形態】
【０００８】
以下、本発明に係るエレベーター用運転管理システムの一実施形態を、図１〜図３に、基づいて説明する。図１は、本発明の一実施形態に係わり、エレベーター用運転管理システムの全体構成示すブロック図である。図２は、本発明の一実施形態に係わり、エレベーター用運転管理システムにおけるエレベーター制御装置の構成示すブロック図である。図３は、本発明の一実施形態に係わり、エレベーター用運転管理システムにおけるエレベーター制御装置を構成する運転情報サービス記憶部の概念図である。
【０００９】
図１に示す一実施形態のエレベーター用運転管理システム１は、共同住宅や集合住宅などの建物２に居住する住人Ｈの各種情報（以下、住人情報と称する）を入力するためのパソコンなどからなる入力端末装置３と、この入力端末装置３から入力された住人情報を格納する住人情報格納装置（データベース）４と、この住人情報格納装置４に格納された住人情報を建物２側に送信する住人情報送信装置５と、この住人情報送信装置５から送信されてきた住人情報を受信する建物２側に設置された住人情報受信装置６と、この住人情報受信装置６から送信される住人情報を受信し、かつ、建物２に設置されたエレベーターの運転制御を行うエレベーター制御装置７と、建物２に設置されたエレベーターの各乗り場８〜８Ｎに設けた乗り場用ＩＤ情報受信端末装置９〜９Ｎと、建物２に設置されたエレベーターの乗りかご１０内に設けた乗りかご用ＩＤ情報受信端末装置１１と、建物２に居住する住人Ｈが携帯するＩＤ情報端末装置１２を、少なくとも含む構成になっている。
【００１０】
図１に示す一実施形態のエレベーター用運転管理システム１では、建物２を管理する管理会社１３内に、入力端末装置３、住人情報格納装置４及び住人情報送信装置５を設置して、公衆回線網、インターネットなどの外部通信網１４を介して建物２内に設置した住人情報受信装置６に住人情報を送信するようにしてある。住人Ｈが携帯するＩＤ情報端末装置１２は、住人Ｈを特定できる機能を有するものであって、例えば、無線タグ、無線ＩＣカードなどからなっている。入力端末装置３は、通信コード線３Ａによって、住人情報格納装置４に接続されている。住人情報格納装置４は、通信コード線４Ａによって、住人情報送信装置５に接続されている。
【００１１】
建物２側に設置された住人情報受信装置６は、図１に示すように、通信コード線６Ａによって、エレベーター制御装置７に接続されている。エレベーター制御装置７には、通信コード線７Ａによって、エレベーターの各乗り場８〜８Ｎに設けた乗り場用ＩＤ情報受信端末装置９〜９Ｎが接続されている。また、エレベーター制御装置７には、通信コード線７Ｂによって、乗りかご１０内に設けた乗りかご用ＩＤ情報受信端末装置１１が接続されている。
【００１２】
エレベーター制御装置７には、図２に示すように、住人情報受信装置６から送信されてきた住人情報に基づきエレベーターの利用が許可か不許可かを決定する利用可否決定部１５と、この利用可否決定部１５によって決定されたエレベーターの利用可否情報及びエレベーターの運転内容などを格納する運転情報サービス記憶部１６と、この運転情報サービス記憶部１６からのエレベーターの利用可否情報、乗り場用ＩＤ情報受信端末装置９〜９ＮからのＩＤ情報及び乗りかご用ＩＤ情報受信端末装置１１からのＩＤ情報に基づきエレベーターの制御内容を決定するエレベーター運転決定部１７と、このエレベーター運転決定部１７により決定された運転内容に基づきエレベーターを制御する信号を生成するエレベーター制御指令部１８とが、少なくとも含まれている。エレベーター運転決定部１７には、運転情報サービス記憶部１９が含まれている。
【００１３】
利用可否決定部１５では、建物２に居住する住人Ｈが、建物２の管理会社１３に管理費を支払っている場合は、エレベーターの利用を「可」に決定し、かつ建物２に居住する住人Ｈが、建物２の管理会社１３に管理費を未納若しくは滞納している場合は、エレベーターの利用を「不可」に決定する。その決定した内容は、運転情報サービス記憶部１６に格納される。運転情報サービス記憶部１６に格納された利用可否決定部１５の決定結果は、エレベーター運転決定部１７に送信されて、運転情報サービス記憶部１９に、後述するエレベーターの利用可否情報１９Ｃとして格納される。なお、ここで、管理費は、建物２の管理費と建物２に設置されたエレベーターの管理費のいずれか一方であってもよく、その両方が含まれている場合でもよい。
【００１４】
運転情報サービス記憶部１９は、図３に示すように、住民ＩＤ情報１９Ａ、住民の居住階情報１９Ｂ、エレベーターの利用可否情報１９Ｃ及びエレベーターの運転オプション情報１９Ｄが、格納されている。例えば、建物２に居住する住人Ｈのうち、住人ＩＤが００２である住人については、居住階が４階であってエレベーターの利用が「可」であり、運転オプションとして「ドア開時間延長」が設定されているという情報が格納されている。また、住人ＩＤが００４である住人については、居住階が５階であってエレベーターの利用が「不可」であり、運転オプションが設定されていないという情報が格納されている。また、住人ＩＤが００６である住人については、居住階が６階であってエレベーターの利用が「可」であり、運転オプションとして「防犯直行運転」が設定されているという情報が格納されている。
【００１５】
上記構成からなるエレベーター用運転管理システム１の使用例を、次に説明する。
【００１６】
建物２に居住する住人Ｈが、建物２に設置されたエレベーターを使用する場合には、住人Ｈが携帯するＩＤ情報端末装置１２のＩＤ情報を、各乗り場８〜８Ｎに設けた乗り場用ＩＤ情報受信端末装置９〜９Ｎに読み取らせて乗りかご１０を呼寄せると共に、住人Ｈが携帯するＩＤ情報端末装置１２のＩＤ情報を、乗りかご１０内に設けた乗りかご用ＩＤ情報受信端末装置１１に読み取らせて、行き先階の呼びを登録することで、エレベーターを使用することができる。したがって、住人ＨがＩＤ情報端末装置１２を携帯していなければ、建物２に設置されたエレベーターを使用することができない。
【００１７】
今、建物２に居住する住人Ｈのうち、住人ＩＤが００５である住人が、居住階である５階から玄関階である１階に向う場合は、住人ＩＤが００５であるところの住人が携帯するＩＤ情報端末装置１２のＩＤ情報を、５階に設置された乗り場用ＩＤ情報受信端末装置９Ｄに読み取らせると、その読み取ったＩＤ情報及び読み取られた階情報（５階の乗り場用ＩＤ情報受信端末装置９Ｄで読み取られたという情報）がエレベーター運転決定部１７に送信される。すると、エレベーター運転決定部１７では、運転情報サービス記憶部１９に格納されているところの、住民ＩＤ情報１９Ａ、住民の居住階情報１９Ｂ、エレベーターの利用可否情報１９Ｃ及びエレベーターの運転オプション情報１９Ｄを、運転情報サービス記憶部１９から読み出して、エレベーターの運転内容を決定する。この場合、住人ＩＤが００５である住人の、エレベーターの利用可否情報１９Ｃは、図３に示すように、「可」であるので、エレベーター運転決定部１７では、乗りかご１０を５階に呼び寄せた後、その乗りかご１０を１階に移動するという運転内容が決定されて、その運転内容に基づく指令がエレベーター制御指令部１８から発せられ、建物２に設置されたエレベーターの乗りかご１０が運転される。
【００１８】
逆に、住人ＩＤが００５である住人が、玄関階である１階から居住階である５階に向う場合は、その住人が携帯するＩＤ情報端末装置１２のＩＤ情報を、１階に設置された乗り場用ＩＤ情報受信端末装置９に読み取らせると、その読み取ったＩＤ情報及び読み取られた階情報（１階の乗り場用ＩＤ情報受信端末装置９で読み取られたという情報）がエレベーター運転決定部１７に送信される。すると、エレベーター運転決定部１７では、住民ＩＤ情報１９Ａ、住民の居住階情報１９Ｂ、エレベーターの利用可否情報１９Ｃ及びエレベーターの運転オプション情報１９Ｄを、運転情報サービス記憶部１９から読み出して、エレベーターの運転内容を決定する。この場合、住人ＩＤが００５である住人の、エレベーターの利用可否情報１９Ｃは、図３に示すように、「可」である、すなわち、「建物２の管理会社１３に管理費を支払っている」ので、エレベーター運転決定部１７では、乗りかご１０を１階に呼び寄せた後、その乗りかご１０を５階に移動するという運転内容が決定されて、その運転内容に基づく指令がエレベーター制御指令部１８から発せられ、建物２に設置されたエレベーターの乗りかご１０が運転される。
【００１９】
次に、建物２に居住する住人Ｈのうち、住人ＩＤが００３である住人が、居住階である５階から玄関階である１階に向う場合は、住人ＩＤが００３であるところの住人が携帯するＩＤ情報端末装置１２のＩＤ情報を、５階に設置された乗り場用ＩＤ情報受信端末装置９Ｄに読み取らせると、その読み取ったＩＤ情報及び読み取られた階情報（５階の乗り場用ＩＤ情報受信端末装置９Ｄで読み取られたという情報）がエレベーター運転決定部１７に送信される。すると、エレベーター運転決定部１７では、運転情報サービス記憶部１９に格納されているところの、住民ＩＤ情報１９Ａ、住民の居住階情報１９Ｂ、エレベーターの利用可否情報１９Ｃ及びエレベーターの運転オプション情報１９Ｄを、運転情報サービス記憶部１９から読み出して、エレベーターの運転内容を決定する。この場合、住人ＩＤが００３である住人の、エレベーターの利用可否情報１９Ｃは、図３に示すように、「不可」である、すなわち「建物２の管理会社１３に管理費を未納若しくは滞納している」ので、エレベーター運転決定部１７では、運転停止という運転内容が決定されて、その運転内容に基づく指令がエレベーター制御指令部１８から発せられ、建物２に設置されたエレベーターの乗りかご１０の運転が行われず、住人ＩＤが００３である住人はエレベーターを利用することができない。したがって、住人ＩＤが００３である住人は、エレベーターを利用することができないことで、建物２の管理会社１３に管理費を未納若しくは滞納していることに気づき、建物２の管理会社１３への管理費の支払いを促される。
【００２０】
逆に、建物２に居住する住人Ｈのうち、住人ＩＤが００３である住人が、玄関階である１階から居住階である５階に向う場合は、住人ＩＤが００３であるところの住人が携帯するＩＤ情報端末装置１２のＩＤ情報を、１階に設置された乗り場用ＩＤ情報受信端末装置９に読み取らせると、その読み取ったＩＤ情報及び読み取られた階情報（１階の乗り場用ＩＤ情報受信端末装置９で読み取られたという情報）がエレベーター運転決定部１７に送信される。すると、エレベーター運転決定部１７では、運転情報サービス記憶部１９に格納されているところの、住民ＩＤ情報１９Ａ、住民の居住階情報１９Ｂ、エレベーターの利用可否情報１９Ｃ及びエレベーターの運転オプション情報１９Ｄを、運転情報サービス記憶部１９から読み出して、エレベーターの運転内容を決定する。この場合、住人ＩＤが００３である住人の、エレベーターの利用可否情報１９Ｃは、図３に示すように、「不可」である、すなわち「建物２の管理会社１３に管理費を未納若しくは滞納している」ので、エレベーター運転決定部１７では、運転停止という運転内容が決定されて、その運転内容に基づく指令がエレベーター制御指令部１８から発せられ、建物２に設置されたエレベーターの乗りかご１０の運転が行われず、住人ＩＤが００３である住人はエレベーターを利用することができない。この場合も、住人ＩＤが００３である住人は、エレベーターを利用することができないことで、建物２の管理会社１３に管理費を未納若しくは滞納していることに気づき、建物２の管理会社１３への管理費の支払いを促される。
【００２１】
そして、住人ＩＤが００３である住人が、建物２の管理会社１３に対して管理費を支払うと、管理会社１３では、入力端末装置３により、管理費を支払った旨の入力が行われ、管理費を支払った旨の情報が、住人情報格納装置４に格納されると共に、住人情報送信装置５、外部通信網１４及び住人情報受信装置６を介してエレベーター制御装置７に送信される。管理費を支払った旨の情報がエレベーター制御装置７に送信されると、利用可否決定部１５によって、住人ＩＤが００３である住人のエレベーターの利用が許可か不許可かを決定する。この場合、住人ＩＤが００３である住人は、管理費を支払っているので、エレベーターの利用を「可」に決定され、その決定した内容が、運転情報サービス記憶部１６に格納される。運転情報サービス記憶部１６に格納された利用可否決定部１５の決定内容、すなわち、住人ＩＤが００３である住人はエレベーターの利用が「可」である旨の情報は、エレベーター運転決定部１７に送信されて、運転情報サービス記憶部１９のエレベーターの利用可否情報１９Ｃとして格納される。したがって、住人ＩＤが００３である住人は、管理費を支払った以後は、エレベーターを利用することができるようになる。
【００２２】
上記実施形態のエレベーター用運転管理システム１によれば、建物２に居住する住人Ｈが、「建物の管理会社への管理費を未納若しくは滞納している」場合には、建物２に設置されているエレベーターを使用することができず、「建物２の管理会社１３に管理費を支払っている」場合には、建物２に設置されているエレベーターを使用することができるようになることにより、建物２の管理会社１３への管理費の支払いを促されるので、建物２に居住する住人Ｈの管理費の未納若しくは滞納を、大幅に抑止することができる。
【００２３】
上記実施形態では、建物２を管理する管理会社１３内に、入力端末装置３、住人情報格納装置４及び住人情報送信装置５を設置しているが、これに限定されない。入力端末装置３、住人情報格納装置４及び住人情報送信装置５の設置場所は、管理会社１３以外の、サービス事務所などに設置してもよい。
【００２４】
さらに、上記実施形態では、住人ＩＤが００３である住人が、「建物２の管理会社１３への管理費を未納若しくは滞納している」場合には、その住人ＩＤが００３である一人の住人のみが、エレベーターを使用することができないようにしているが、住人ＩＤが００３である住人と同居している人に対しても、エレベーターを使用することができないようにしてもよい。
【００２５】
さらに、上記実施形態において、入力端末装置３により、住人情報格納装置４に格納された住人情報が更新された場合に、更新された住人のみの住人情報を、住人情報送信装置５、外部通信網１４及び住人情報受信装置６を介してエレベーター制御装置７に送信するようにしてもよいし、住人情報格納装置４に格納されているところの、建物に居住するすべての住人の住人情報を、住人情報送信装置５、外部通信網１４及び住人情報受信装置６を介してエレベーター制御装置７に送信するようにしてもよい。
【００２６】
さらに、上記実施形態において、住人Ｈが携帯するＩＤ情報端末装置１２のＩＤ情報を、各乗り場８〜８Ｎに設けた乗り場用ＩＤ情報受信端末装置９〜９Ｎに読み取らせた際、住人Ｈが「建物２の管理会社１３への管理費を未納若しくは滞納している」場合には、各乗り場８〜８Ｎにディスプレイを設置して、「管理費を未納若しくは滞納している」旨の表示をしたり、あるいは、放送設備を設置して、「管理費を未納若しくは滞納している」旨の放送をしたりするようにしてもよいし、運転情報サービス記憶部１９に格納されているところのエレベーターの運転オプション情報１９Ｄに基づく運転サービスを制限するようにすることもできる。また、住人Ｈが携帯するＩＤ情報端末装置１２のＩＤ情報を読み取ることのできるＩＤ情報受信端末装置を、ごみ置き場などの共用施設に設置して、「管理費を未納若しくは滞納している」住人Ｈが、その共用施設を使用できないようにすることもできる。
【００２７】
なお、本発明は、言うまでもなく、上記実施形態に示すエレベーター用運転管理システム１のみに限定されず、本発明の趣旨を包含する範囲で、応用変更が可能である。
【図面の簡単な説明】
【００２８】
【図１】本発明の一実施形態に係わるエレベーター用運転管理システムの全体構成示すブロック図である。
【図２】本発明の一実施形態に係わるエレベーター用運転管理システムにおけるエレベーター制御装置の構成示すブロック図である。
【図３】本発明の一実施形態に係わるエレベーター用運転管理システムのエレベーター制御装置を構成する運転情報サービス記憶部の概念図である。
【符号の説明】
【００２９】
１    エレベーター用運転管理システム
２    建物
３    入力端末装置
３Ａ  通信コード線
４    住人情報格納装置
４Ａ  通信コード線
５    住人情報送信装置
６    住人情報受信装置
６Ａ  通信コード線
７    エレベーター制御装置
７Ａ、７Ｂ  通信コード線
８    エレベーターの各乗り場
９    乗り場用ＩＤ情報受信端末装置
１０  乗りかご
１１  乗りかご用ＩＤ情報受信端末装置
１２  ＩＤ情報端末装置
１３  管理会社
１４  外部通信網
１５  利用可否決定部
１６  運転情報サービス記憶部
１７  エレベーター運転決定部
１８  エレベーター制御指令部
１９  運転情報サービス記憶部
１９Ａ  住民ＩＤ情報
１９Ｂ  居住階情報
１９Ｃ  エレベーターの利用可否情報
１９Ｄ  エレベーターの運転オプション情報
【図１】
2007112576.tif 000003
【図２】
2007112576.tif 000004
【図３】
2007112576.tif 000005